(57)【要約】  導光光学素子（ＬＯＥ）のプレート間における屈折率の不均一性を測定するためのシステムと方法は、干渉を観察し、および光ビームのコリメーションを試験するために通常用いられているシアリング干渉計測定技法に基づく革新的な測定技法を用いる。本実施例の別の特色は、ＬＯＥ内で隣接するプレート間の相違を特徴づけるために生成されたインターフェログラムの特性を分析するための革新的な方法である。【選択図】図１１
2021527811.tif 000002
【特許請求の範囲】
【請求項１】
屈折率の不均一性を測定するための方法であって、該方法は、
（ａ）導光体（２０）の前面（２６Ａ）上へ投影光（Ｒ）を投影する工程であって、前記導光体（２０）は、
（ｉ）前記前面（２６Ａ）と背面（２６）を含む互いに平行な外面の第１のペアと、
（ｉｉ）コーティングされたプレート（４２２）の組であって、前記プレート（４２２）の組は：
（Ａ）互いに対して平行であり、
（Ｂ）前記外面の第１のペアの間にあり、および、
（Ｃ）前記外面の第１のペアに対して平行ではない角度にある、前記プレート（４２２）の組と、を含み、
（ｉｉｉ）前記プレート（４２２）の各々は一致する屈折率（ｎ）を有する、
工程と、
（ｂ）前記プレート（４２２）間の屈折率の不均一性を測定するために干渉パターンのインターフェログラム画像（１２００）をキャプチャする工程であって、前記干渉パターンは、屈折／反射光線（Ｒ’）と外部で反射される光（Ｒｅ’）の間の干渉パターンであり、
（ｉ）前記屈折／反射光線（Ｒ’）は、前記投影光（Ｒ）が前記導光体（２０）を横断し、内部反射し、そして前記前面（２６Ａ）を介して外に出た結果であり、および、
（ｉｉ）前記外部で反射された光（Ｒｅ’）は、前記投影光（Ｒ）が前記前面（２６Ａ）から反射した結果である、
工程と、
を含む、方法。
【請求項２】
前記投影する工程は、
（ａ）前記前面（２６Ａ）に対して斜角に行われる、および、
（ｂ）前記前面（２６Ａ）に対して垂直に行われる、の群から選択されることを特徴とする、請求項１に記載の方法。
【請求項３】
前記インターフェログラム画像（１２００）は、前記プレート（４２２）の前記屈折率（ｎ）間の屈折率の不均一性に対応することを特徴とする、請求項１に記載の方法。
【請求項４】
前記干渉縞の１つ以上の部分と前記干渉縞の別の１つ以上の部分の間の偏差を決定する工程をさらに含み、前記部分の各々は前記プレートの１つ以上に対応し、前記偏差は前記プレートの前記屈折率間における屈折率差に対応することを特徴とする、請求項１に記載の方法。
【請求項５】
屈折率の不均一性を決定するための方法であって、該方法は、
（ａ）インターフェログラムを提供する工程であって、前記インターフェログラムは１つ以上の干渉縞を含み、前記インターフェログラムは、
（ｉ）導光体（２０）の前面（２６Ａ）上へ投影光（Ｒ）を投影することであって、前記導光体（２０）が、
（Ａ）前記前面（２６Ａ）と背面（２６）を含む互いに平行な外面の第１のペアと、
（Ｂ）プレート（４２２）の組であって、前記プレート（４２２）の組は、
（Ｉ）互いに平行であり、
（ＩＩ）前記外面の第１のペアの間にあり、および、
（ＩＩＩ）前記外面の第１のペアに対して平行ではない角度にある、
前記プレート（４２２）の組と、を含み、
（Ｃ）前記プレート（４２２）の各々は一致する屈折率（ｎ）を有する、
ことと、
（ｉｉ）前記プレート（４２２）間の屈折率の不均一性を測定するために干渉パターンのインターフェログラム画像（１２００）をキャプチャすることであって、前記干渉パターンは、屈折／反射光線（Ｒ’）と外部で反射された光（Ｒｅ’）の間の干渉パターンであり、
（Ａ）前記屈折／反射光線（Ｒ’）は、前記投影光（Ｒ）が前記導光体（２０）を横断し、内部反射し、そして前記前面（２６Ａ）を介して外に出た結果であり、および、
（Ｂ）前記外部で反射した光（Ｒｅ’）は、前記投影光（Ｒ）が前記前面（２６Ａ）から反射した結果である、
ことと、によって生成される、工程と、
（ｂ）前記干渉縞の１つ以上の部分と前記干渉縞の別の１つ以上の部分の間の偏差を決定する工程であって、前記部分の各々は前記プレートの１つ以上に対応し、前記偏差は前記プレートの前記屈折率間における屈折率の不均一性に対応する、工程と、
を含む、方法。
【請求項６】
前記干渉縞の前記部分の各々は前記プレートのうちの１つに対応することを特徴とする、請求項５に記載の方法。
【請求項７】
前記偏差は隣接した前記プレート間にあることを特徴とする、請求項５に記載の方法。
【請求項８】
前記偏差は複数の前記プレートにわたってあることを特徴とする、請求項５に記載の方法。
【請求項９】
前記偏差は前記プレートすべてにわたってあることを特徴とする、請求項５に記載の方法。
【請求項１０】
前記偏差を決定する工程は前記インターフェログラム中にどれだけ多くの干渉縞の飛びがあるかを決定することを含むことを特徴とする、請求項５に記載の方法。
【請求項１１】
前記偏差に基づき合格／不合格メトリックを計算する工程をさらに含むことを特徴とする、請求項５に記載の方法。
【請求項１２】
前記偏差は、
（ａ）前記インターフェログラムの軸を決定するために前記インターフェログラムを分析すること、
（ｂ）前記インターフェログラムを回転させる、および／または変形させること、
（ｃ）前記インターフェログラムを、前記干渉縞に直交するＮ個の離散信号配列へと、ＮがＬＯＥ中のファセットの数より顕著に大きくなるように分割すること、および、
（ｄ）
（ｉ）３または４バケット法、および
（ｉｉ）ウェーブレット変換、
から成る群から選ばれる位相抽出アルゴリズムを使用することによってｎ＝１からＮの信号アレイの位相を計算すること、
からなる群から選択される少なくとも１つの手法によって計算されることを特徴とする、請求項５に記載の方法。
【請求項１３】
合格／不合格メトリックは前記インターフェログラムの全体にわたって決定された前記偏差から導出され、そして、他の合格／不合格メトリックは隣接した前記プレート間の偏差から導出されることを特徴とする、請求項５に記載の方法。
【請求項１４】
前記偏差は、
（ａ）前記インターフェログラムを、前記干渉縞に直交するＮ個の離散した信号配列へ分割すること、
（ｂ）位相抽出アルゴリズムを使ってｎ＝１からＮまで前記信号配列の位相を計算すること、および、
（ｃ）ｎの関数として前記位相をプロットし、前記位相のプロットにおける、全体の最大値と最小値間の最大の位相差を決定すること、
によって決定されることを特徴とする、請求項５に記載の方法。
【請求項１５】
前記偏差は、
（ａ）前記干渉縞の１つの一部を使用して、
（ｂ）前記干渉縞の１つの前記一部への最良適合の外挿を行って、および、
（ｃ）前記外挿を前記干渉縞の別の一部と比較して、
決定されることを特徴とする、請求項５に記載の方法。
【請求項１６】
前記偏差は、
（ａ）理想的な干渉縞を生成するために前記干渉縞のうちの１つを外挿で求めること、
（ｂ）前記干渉縞の実際の１つの、前記理想的な干渉縞からの逸脱を計算すること、
によって決定されることを特徴とする、請求項５に記載の方法。
【請求項１７】
前記投影光は、焦点がわずかにぼかされたコリメート光であることを特徴とする、請求項１から１６のいずれか１つに記載の方法。
【請求項１８】
前記投影光は単色光であることを特徴とする、請求項１から１７のいずれか１つに記載の方法。
【請求項１９】
前記投影光は可視スペクトル内にあることを特徴とする、請求項１から１８のいずれか１つに記載の方法。
【請求項２０】
屈折率の不均一性を測定するためのシステムであって、該システムは、
（ａ）表示光源（８０４）と、
（ｂ）コリメート光学系（８０６）と、
（ｃ）導光体（２０）であって、
（ｉ）前記前面（２６Ａ）と背面（２６）を含む互いに平行な外面の第１のペアと、    （ｉｉ）プレート（４２２）の組であって、前記プレート（４２２）の組は、
（Ａ）互いに平行であり、
（Ｂ）前記外面の第１のペアの間にあり、および、
（Ｃ）前記外面の第１のペアに対して平行ではない角度にある、前記プレート（４２２）の組と、を含む、導光体（２０）を含み、および、
前記プレート（４２２）の各々は一致する屈折率（ｎ）を有し、また前記システムは、
（ｄ）前記プレート（４２２）間の屈折率の不均一性を測定するために干渉パターン（１２００）のインターフェログラム画像をキャプチャするために配置されたキャプチャデバイス（１００２）であって、前記干渉パターンは、屈折／反射光線（Ｒ’）と外部で反射された光（Ｒｅ’）の間の干渉パターンであり、
（ｉ）前記屈折／反射光線（Ｒ’）は、前記投影光（Ｒ）が前記導光体（２０）を横断し、内部反射し、そして前記前面（２６Ａ）を介して外に出た結果であり、および、
（ｉｉ）前記外部で反射された光（Ｒｅ’）は、前記投影光（Ｒ）が前記前面（２６Ａ）から反射した結果である、
キャプチャデバイス（１００２）と、
を含む、システム。
【請求項２１】
１つ以上のプロセッサーを包含する処理システム（６００）であって、前記処理システム（６００）は、前記干渉縞の１つ以上の部分と前記干渉縞の別の１つ以上の部分の間の偏差を決定するように構成され、前記部分の各々は前記プレートの１つ以上に対応し、前記偏差は前記プレートの前記屈折率間における屈折率の不均一性に対応する、前記処理システム（６００）を含む、請求項２０に記載のシステム。
【請求項２２】
屈折率の不均一性を決定するためのシステムであって、該システムは１つ以上のプロセッサーを包含している処理システム（６００）を含み、前記処理システムは、
（ａ）インターフェログラムを処理するように構成され、前記インターフェログラムは１つ以上の干渉縞を含み、前記インターフェログラムは、
（ｉ）導光体（２０）の前面（２６Ａ）上へ投影光（Ｒ）を投影することであって、前記導光体（２０）が、
（Ａ）前記前面（２６Ａ）と背面（２６）を含む互いに平行な外面の第１のペアと、
（Ｂ）プレート（４２２）の組であって、前記プレート（４２２）の組は、
（Ｉ）互いに平行であり、
（ＩＩ）前記外面の第１のペアの間にあり、
（ＩＩＩ）前記外面の第１のペアに対して平行ではない角度にある、前記プレート（４２２）の組と、を含み、
（Ｃ）前記プレート（４２２）の各々は一致する屈折率（ｎ）を有する、
ことと、
（ｉｉ）前記プレート（４２２）間の屈折率の不均一性を測定するために干渉パターンのインターフェログラム画像（１２００）をキャプチャすることであって、前記干渉パターンは、屈折／反射光線（Ｒ’）と外部で反射された光（Ｒｅ’）の間の干渉パターンであり、
（Ａ）前記屈折／反射光線（Ｒ’）は、前記投影光（Ｒ）が前記導光体（２０）を横断し、内部反射し、そして前記前面（２６Ａ）を介して外に出た結果であり、および、
（Ｂ）前記外部で反射された光（Ｒｅ’）は、前記投影光（Ｒ）が前記前面（２６Ａ）から反射した結果である、こと、
とによって生成され、
（ｂ）前記処理システムはまた、前記干渉縞の１つ以上の部分と前記干渉縞の別の１つ以上の部分の間の偏差を決定するように構成され、前記部分の各々は前記プレートの１つ以上に対応し、前記偏差は前記プレートの前記屈折率間における屈折率の不均一性に対応する、システム。
【発明の詳細な説明】
【技術分野】
【０００１】
本発明は、一般に光学試験に関し、とりわけ屈折率差の非接触式の測定技法に関する。
【背景技術】
【０００２】
導光光学素子（ＬＯＥ）の生産における製作上の難題の１つは、屈折率の均一性を達成することである。不均一性は、画質の劣化をもたらす。光線がファセットに交差する際、とりわけ、ファセットへの法線に対する角度が大きい場合に、個別のプレートの屈折率が十分によく一致していなければ、角度の偏差が生じるであろう。
【発明の概要】
【０００３】
本実施形態の教示によると、屈折率の不均一性を計測するための方法が提供され、該方法は、導光体の前面上に投影される投影光を投影する工程を含み、前記導光体は、互いに対して平行な外面の第１のペアと、前面と背面を含む外面と、コーティングされたプレートの組とを含み、該コーティングされたプレートの組は、外面の第１のペアの間において互いに対して平行であり、かつ、外面の第１のペアに対して平行ではない角度にあり、および、プレートの各々は一致する屈折率を有し、および、プレート間における屈折率の不均一性を測定するために干渉パターンのインターフェログラム画像をキャプチャし、前記干渉パターンは屈折／反射光線と外部で反射された光との間におけるものであり、前記屈折／反射光線は投影光が導光体を横断し、内部で反射し、次に、前記前面を介して導光体から外に出た結果であり、および、前記外部で反射された光は、前記投影光が前記前面から反射した結果である。
【０００４】
随意の実施形態において、前記投影は前面に対して斜角に行われる。別の随意の実施形態において、投影は前面に対して垂直である。別の随意の実施形態において、インターフェログラム画像は、プレートの屈折率の間の屈折率の不均一性に対応する。
【０００５】
別の随意の実施形態において、干渉縞の１つ以上の部分と干渉縞の別の１つ以上の部分の間の偏差を決定する工程をさらに含み、部分の各々はプレートの１つ以上に対応し、前記偏差はプレートの屈折率の間の屈折率差（不均一性）に対応する。
【０００６】
本発明の実施形態の教示によると、屈折率の不均一性を決定するための方法が提供され、該方法は、１つ以上の干渉縞を含んだインターフェログラムを提供する工程を含み、前記インターフェログラムは、導光体の前面上に投影される投影光を投影することであって、前記導光体は、前面と背面を含む互いに対して平行な外面の第１のペアと、プレートの組とを含み、前記プレートの組は、外面の第１のペアの間において互いに対して平行であり、かつ、外面の第１のペアに対して平行ではない角度にあり、および、プレートの各々は一致する屈折率を有する、ことと、プレート間における屈折率の不均一性を測定するために干渉パターンのインターフェログラム画像をキャプチャすることであって、前記干渉パターンは屈折／反射光線と外部で反射された光との間におけるものであり、屈折／反射光線は、投影光が導光体を横断し、内部反射し、次に、前面を介して外に出た結果であり、および、外部で反射された光は投射光が前面から反射した結果である、ことと、によって生成され、また前記方法は、干渉縞の１つ以上の部分と干渉縞の別の１つ以上の部分間の偏差を決定する工程を含み、前記部分の各々はプレートの１つ以上に対応し、前記偏差はプレートの屈折率間における屈折率不均一性に対応する。
【０００７】
随意の実施形態において、干渉縞の部分の各々はプレートのうちの１つに対応する。別の随意の実施形態において、偏差は隣接するプレートの間にある。別の随意の実施形態において、偏差は複数のプレートにわたる。別の随意の実施形態において、偏差はすべてのプレートにわたる。
【０００８】
別の随意の実施形態において、偏差の決定はインターフェログラムにどれだけ多くの干渉縞の飛びがあるかを決定することを含む。
【０００９】
別の随意の実施形態において、偏差に基づいて、合格／不合格メトリック（ｐａｓｓ／ｆａｉｌ  ｍｅｔｒｉｃ）を計算する工程をさらに含む。
【００１０】
別の随意の実施形態において、偏差は、以下のものから成る群から選ばれた少なくとも１つの技法を使用して決定される：インターフェログラムの軸を決定するためにインターフェログラムを分析すること、インターフェログラムを回転させる、および／または、変形させること、ＮがＬＯＥ内の面の数より著しく大きくなるように干渉縞に直交するＮ個の離散信号配列へインターフェログラムを分割すること、および、以下のものから成る群から選ばれた位相抽出アルゴリズムの使用によって信号配列ｎ＝１〜Ｎの位相を計算すること：３または４バケット法（ｂｕｃｋｅｔ  ｍｅｔｈｏｄ）、およびウェーブレット変換。
【００１１】
別の随意の実施形態において、合格／不合格メトリックはインターフェログラムの全体にわたって決定された偏差から導き出され、その後、他の合格／不合格メトリックが隣接するプレートの間の偏差から導き出される。
【００１２】
他の随意の実施形態において、偏差は、インターフェログラムを、干渉縞に直交するＮ個の離散信号配列へと分離すること、位相抽出アルゴリズムを使ってｎ＝１からＮまで信号配列の位相を計算すること、および、ｎの関数として位相をプロットし、位相プロットにおける、全体の最大値と最小値間の最大の位相差を決定すること、によって決定される。
【００１３】
別の随意の実施形態において、偏差は、干渉縞の１つの一部を使用して、干渉縞の１本の一部への最良適合の外挿を行って、および、外挿を干渉縞の別の一部と比較して、決定される。
【００１４】
他の随意の実施形態において、偏差は次のものによって決定される：理想的な干渉縞を生成するために干渉縞のうちの１つを外挿すること、理想的な干渉縞から干渉縞の実際の１つの逸脱を計算すること。
【００１５】
別の随意の実施形態において、投影光は焦点がわずかにずらされたコリメート光である。別の随意の実施形態において、投影光は単色光である。別の随意の実施形態において、投影光は可視スペクトル内にある。
【００１６】
本実施形態の教示によると、屈折率の不均一性を測定するためのシステムが提供され、該システムは、表示光源、コリメート光学系、導光体を含み、導光体は、互いに対して平行な外面の第１のペアと、前面と背面とを含む外面と、プレートの組とを含み、プレートの組は、互いに対して平行であり、前記外面の第１のペアの間にあり、および、前記外面の第１のペアに対して平行ではない角度にあり、および、プレートの各々は一致する屈折率を有し、および、該システムはまた、プレート間における屈折率の不均一性を測定するための干渉パターンのインターフェログラム画像をキャプチャするために配置されたキャプチャデバイスを含み、前記干渉パターンは屈折／反射光線と外部で反射された光との間におけるものであり、前記屈折／反射光線は、投影光が導光体を横断し、内部で反射し、次に、前記前面を介して外に出た結果であり、および、前記外部で反射された光は、前記投影光が前記前面から反射した結果である。
【００１７】
随意の実施形態において、システムは１つ以上のプロセッサーを包含している処理システムをさらに含み、処理システムは、干渉縞の１つ以上の部分と干渉縞の別の１つ以上の部分の間の偏差を決定するように構成され、前記部分の各々はプレートの１つ以上に対応し、前記偏差はプレートの屈折率間における屈折率の不均一性に対応する。
【００１８】
本実施形態の教示によると、屈折率の不均一性を決定するためのシステムが提供され、該システムは１つ以上のプロセッサーを包含している処理システムを含み、該処理システムは、インターフェログラムを処理するように構成され、該インターフェログラムは１つ以上の干渉縞を含み、該インターフェログラムは、導光体の前面上に投影光を投影することであって、該導光体が：前面と背面を含む互いに対して平行な外面の第１のペアと、プレートの組であって：互いに対して平行であり、前記外面の第１のペアの間にあり、および、前記外面の第１のペアに対して平行ではない角度にある、プレートの組と、を含み、および、プレートの各々は一致する屈折率を有する、ことと、プレート間における屈折率の不均一性を測定するために干渉パターンのインターフェログラム画像をキャプチャすることであって、該干渉パターンは屈折／反射光線と外部で反射された光との間におけるものであり、該屈折／反射光線は投影光が導光体を横断し、内部反射し、次に、前面を介して外に出た結果であり、および、該外部で反射された光は投影光が前面から反射した結果である、ことと、によって生成され、該システムはまた、干渉縞の１つ以上の部分と干渉縞の別の１つ以上の部分の間の偏差を決定するように構成され、該部分の各々はプレートの１つ以上に対応し、該偏差はプレートの屈折率間における屈折率の不均一性に対応する。
【００１９】
本実施形態の教示によると、屈折率の不均一性を測定するためのコンピューター可読コードを組み込まれた非一時的なコンピューター可読記憶媒体が提供され、前記コンピューター可読コードは、上記の方法のうちいずれも実行できるようにプログラムコードを含む。
【００２０】
本実施形態の教示によると、屈折率の不均一性を決定するためのコンピューター可読コードを組み込まれた非一時的なコンピューター可読記憶媒体が提供され、該コンピューター可読コードは、上記の方法のうちいずれも実行できるようにプログラムコードを含む。
【００２１】
本実施形態の教示によると、ネットワークを介してクライアントコンピューターに接続されたサーバーにロード可能なコンピュータープログラムが提供され、結果としてコンピュータープログラムを実行するサーバーは上記の開示のいずれかによるシステム中で処理システムを構成する。
【図面の簡単な説明】
【００２２】
実施形態は、添付の図面を参照してほんの一例として本明細書に記載されている。
【図１】従来の折り畳み式光学構造の先行技術を例示する。
【図２】典型的な導光光学素子（ＬＯＥ）の側面図である。
【図３Ａ】選択反射面の所望の反射挙動を例示する。
【図３Ｂ】選択反射面の所望の反射挙動を例示する。
【図４】光を基板に結合し、および、光をビューアーの目へと出させる、選択反射面のアレイの詳細な断面図である。
【図５】標準的な眼鏡フレームに組み込まれたＬＯＥの例を示す。
【図６】選択反射面のアレイを製作するための方法を例示する。
【図７】選択反射面のアレイを製作するための方法のさらなる詳細である。
【図８】ＬＯＥのための試験の典型的な部分の見取り図である。
【図９】典型的な試験構成の高水準の側面見取り図である。
【図１０Ａ】干渉縞がどのように形成されるかの側面見取り図である。
【図１０Ｂ】干渉の詳細な見取り図である。
【図１１】ＬＯＥの様々な範囲についての全体的なパターンの発生の見取り図である。
【図１２】好適な干渉縞パターンの写真である。
【図１３】不良な干渉縞パターンの写真である。
【図１４】非常に不良な干渉縞パターンの写真である。
【図１５】本発明の処理モジュールを実装するように構成された典型的なシステムの高水準の部分的なブロック図である。
【００２３】
略語および定義
引用の便宜上、このセクションは、本明細書において用いられる略語、頭字語、および短い定義の簡潔なリストを含んでいる。このセクションによって本発明が制限されるとみなすべきではない。より完全な説明は、以下において、および適用可能な規格において見出されうる。
１Ｄ  −  一次元
２Ｄ  −  二次元
ＣＣＤ  −  電荷結合素子
ＣＲＴ  −  陰極線管
ＤＭＤ  −  デジタルマイクロミラーデバイス
ＥＭＢ  −  アイモーションボックス
ＦＯＶ  −  視野
ＨＭＤ  −  ヘッドマウントディスプレイ
ＨＵＤ  −  ヘッドアップディスプレイ
ＬＣＤ  −  液晶ディスプレイ
ＬＣｏＳ  −  シリコン基板上の反射型液晶
ＬＥＤ  −  発光ダイオード
ＬＯＥ  −  導光光学素子
ＯＬＥＤ  −  有機発光ダイオードアレイ
ＯＰＬ  −  光路長
ＳＬＭ  −  空間光変調器
ＴＩＲ  −  内部全反射
【発明を実施するための形態】
【００２４】
本実施形態に記載のシステムの原理および操作は、図面および付随的な説明を参照して十分に理解され得る。本発明は、導光光学素子（ＬＯＥ）のプレート間における屈折率の不均一性を測定するためのシステム、および方法である。革新的な測定技術は、干渉の観察のため、また、光ビームのコリメーションを試験するために通常用いられる、よく知られたシアリング干渉計測定の技法に基づく。本実施例の別の特色は、ＬＯＥ内で隣接するプレート間の相違を特徴づけるために生成されたインターフェログラムの特性を分析するための革新的な方法である。
【００２５】
ＬＯＥの生産における製作上の難題の１つは、屈折率の均一性を達成することである。不均一性は、画質の劣化をもたらす。光線がファセットに交差する際、とりわけ、ファセットへの法線に対する角度が大きい場合に、個別のプレートの屈折率が十分によく一致していなければ、角度の偏差が生じるであろう。
【００２６】
基礎技術−図１から図７
図１は従来の先行技術の折り畳み式の光学構造を例証し、ここで、基板（２）は表示光源（４）からの光を受ける。表示光源はコリメート光学系（６）（例えばレンズ）によってコリメートされる。表示光源（４）からの光は、主な光線（１１）が基板平面と平行になるように、第１の反射面（８）によって基板（２）中へと結合される。第２の反射面（１２）は、基板からビューアーの目（１４）へ光を結合する。この構造はコンパクトであるにもかかわらず、著しい欠点に苛まれている。具体的には、非常に制限されたＦＯＶと目の可動域（ＥＭＢ）しか達成することができない。
【００２７】
ここで、典型的な導光光学素子（ＬＯＥ）の側面図である図２を参照する。上記の制限を緩和するために、選択反射面のアレイを、導光光学素子（ＬＯＥ）内で使用し、製造することができる。第１の反射面（１６）は、デバイスの後ろに位置決めされる光源（図示せず）から発せられるコリメートされた表示光線（入射光線ビーム）（１８）により照射される。図面の簡潔さのために、１つの光線、すなわち、入射光線（１８）（「ビーム」あるいは「入射光線」とも呼ばれる）だけが一般的に描かれている。ビーム（１８Ａ）と（１８Ｂ）などの入射光の他の光線が入射光瞳の左と右の縁などの入射瞳の縁を指定するために使用されることもある。一般に、画像が光線によって本明細書に表される場合はいつでも、光線は画像のサンプルビームであり、これは、画像の点またはピクセルに各々対応するわずかに異なる角度にある複数のビームによって典型的に形成されることに留意されたい。特に画像の末端と呼ばれるところを除いて、例示されるビームは典型的に画像の重心である。
【００２８】
反射面（１６）は、典型的には１００％反射（完全なミラー）であり、光源からの入射光を反射し、入射光は内部全反射によって導光体（２０）の内部で捕捉される。導光体（２０）は「平面基板」、および「光送信基板」とも呼ばれる。導光体（２０）は、第１の（後方の、主な）表面（２６）と第２の（前方の、主な）表面（２６Ａ）として図面で示されている、互いに平行な少なくとも２つの（主）表面を含む。主表面（２６、２６Ａ）に関して「第１の」および「第２の」という指定は参照の利便性のためのものであることに留意されたい。導光体へのカップリングイン（Ｃｏｕｐｌｉｎｇ−ｉｎ）は、前方、後方、側端などの、または他のあらゆる所望のカップリングイン幾何学の、様々な表面からでありえる。
【００２９】
入射光光線（１８）は、基板の近位端（図の右側）で基板に入る。光は、導光体と１つ以上のファセット、通常少なくとも複数のファセット、および典型的にはいくつかの、３または４より多いファセットを通って、導光体の遠位端（図の左側）に向かって伝播する。光は、伝播の最初に反射された伝播方向（２８）と別の伝播方向（３０）の両方において導光体を通って伝播する。
【００３０】
捕捉された光は、基板（２０）の内面から反射し、そして選択反射面のアレイ（２２）を横断するように、導光体を介して、伝播する。選択反射面（２２）は典型的には部分的に反射するカップリングアウト（ｃｏｕｐｌｉｎｇ−ｏｕｔ）・ファセットであり、それらの各々は、基板からビューアーの目（２４）へと光の一部を結合する。
【００３１】
選択反射面（２２）などの内部の部分反射面は、本明細書の文脈では一般に「ファセット」と呼ばれる。現実用途の強化のために、ファセットは部分反射型であり、現実世界からの光が前面（２６Ａ）を介して入り、ファセットを含む基板を横断し、および、基板を出て背面（２６）を介してビューアーの目（２４）に至ることを可能にする。ファセットが部分反射型であることはまた、伝播光の一部が後に続くファセットに伝播し続けることを可能にする。内部の部分反射面（２２）は一般に、導光体（２０）の伸長の方向に対して斜角（つまり、平行でも垂直でもない）で導光体（２０）を少なくとも部分的に横断する。部分反射は、限定されないが、ある割合の光の伝送、および／または偏光の使用を含む、様々な技術によって実行可能である。
【００３２】
図３Ａと図３Ｂは、選択反射面の所望の反射率挙動を例示する。図３Ａでは、光線（３２）はファセット（３４）から部分的に反射され、基板（２０）からカップルアウト（ｃｏｕｐｌｅｄ  ｏｕｔ）される（３８）。図３Ｂでは、光線（３６）は顕著に反射されることなく、ファセット（３４）を通って伝送される。
【００３３】
図４は、光を基板に結合させ、次にビューアーの目へと結合させる選択反射面のアレイの詳細な断面図である。ここで見られるように、光源（４）からの光線（１８）は第１の反射表面（１６）に衝突し、そして、反射光線（４２）が内部全反射によって基板中へと結合される。捕捉された光線は、点（４４）で他の２つの典型的な部分反射面（２２）によって基板から徐々にカップルアウトされる。第１の反射面（１６）の被膜特性は、他の反射面（２２）、（４６）の被膜特性に必ずしも類似しなければならないというわけではない。この被膜は、金属性、二色性、またはハイブリッドの金属−二色性の、完全反射型、または、ビームスプリッタであり得る。
【００３４】
図５は、標準的な眼鏡フレーム（１０７）に組み込まれたＬＯＥ（２０ａ）／（２０ａ’）および（２０ｂ）の一例を示している。表示光源（４）、折り畳み式の光学系、およびコリメート光学系（６）は、眼鏡フレームのアーム部分（１１２）の内部において、第２のＬＯＥ（２０ｂ）の縁部に位置決めされるＬＯＥ（２０ａ）／（２０ａ’）に隣接して、アセンブルされる。表示光源が小型のＣＲＴ、液晶ディスプレイ（ＬＣＤ）、シリコン基板上の反射型液晶（ＬＣｏＳ）、デジタルマイクロミラーデバイス（ＤＭＤ）、マイクロＬＥＤアレイ、またはＯＬＥＤ、などの電子素子である場合は、表示光源の駆動電子機器（１１４）はアーム（１１２）の背面部分の内部にアセンブルされ得る。電源およびデータインターフェース（１１６）は、リード（１１８）、または無線または光の伝送を含む他の通信手段によってアーム（１１２）に接続可能である。代替的に、バッテリーおよび小型データリンク電子機器は、眼鏡フレームにおいて一体化され得る。本図は一例であり、表示光源が、ＬＯＥ平面と平行に、またはＬＯＥの前方部分において取り付けられる、アセンブリを含む、他の考えられ得るヘッドマウントディスプレイの配置も構築され得る。
【００３５】
この基礎技術のさらなる詳細は米国特許第７，６４３，２１４号において見ることができる。
【００３６】
図６は、部分反射面のアレイを製作する方法を例示する。複数の透明な平たいプレート（（４２２Ｒ）、５つの典型的なプレート（Ｓ１）から（Ｓ５）として示される）の表面は、必要なコーティング（４４０）をほどこされ、次に、プレート（Ｓ１からＳ５）は、スタック形態（４４２）を成すように接合される。その後、セグメント（４４４）は、反射表面（４４６）の所望のアレイを生じるために、切断、研削、および研磨によってスタック形態からスライスされ、その後、それはＬＯＥの全体を実現するために他の構成要素とアセンブルされ得る。コーティングされたプレート（Ｓ１からＳ５）の実際の寸法とＬＯＥの必要な寸法に従って、個々のセグメント（４４４）から１つを超えるアレイ（４４６）が製作され得る。
【００３７】
図７は選択反射面のアレイを製作するための方法のさらなる詳細である。スライスされた導光体（４４６）は、例えば、両側面に沿って、導光体の近位端となる破線（４２０Ａ）に沿って、および、導光体の遠位端となる破線（４２０Ｂ）に沿って、垂直にカットされる。これにより、導光体（４２０）がもたらされる。随意に、導光体（４２４）と（４２６）は、導光体（４２０）の近位端および遠位端にそれぞれ貼り付けられ、そしてその組合せ（（４２０）、（４２４）、および（４２６）の）は導光体（ＬＯＥ）（４２９）を製造するために研磨される。あるいは、端のプレート（Ｓ１とＳ５）は間のプレート（Ｓ２、Ｓ３、Ｓ４）より厚くすることができ、結果として、スライスされた導光体（４４６）の構造は、導光体（４２４）と（４２６）を貼り付けられた領域が端のプレート（Ｓ１とＳ５）に由来しながら、導光体（４２９）に類似したものとなる。
【００３８】
一般に、もとの透明な平たいプレート（４２２Ｒ）の各々は、１組のコーティングされたプレート（４２２）のプレートを結果としてもたらす。プレート（４２２）の各々は３ペアの面を有し、面のペアの各々は、プレートの平行な外面である。１ペアの面（本図中の左および右の側面として示される）は、導光体（ＬＯＥ）の長軸を形成するために、被覆され、隣接するプレートに接合される。その後、別のペアの面（本図中、最上部および底部に示される「端」）は、主要外面（前面（２６Ａ）と背面（２６）を含む）を形成するようにそれぞれ研削され、および研磨される。コーティングされたプレートの組は、プレートが対面するところに作成されたファセットを含み、従って、プレートの組はファセットの組を含む。ファセットの組は、主要外面（２６Ａ、２６）のペアの間において、互いに対して平行であり、および、主要外面（２６Ａ、２６）に対して平行ではない角度にある。
【００３９】
本図はオーバーラップしないファセットを有するＬＯＥを示しているが、これに制限されず、二重オーバーラップ、および、三重オーバーラップなどのオーバーラップするファセット（図示せず、２０１８年１月８日に出願されたＰＣＴ／ＩＬ２０１８／０５００２５を参照し、その全体は参照によって本明細書に組み入れられる）に、本発明の実施例を適用することもできる。
【００４０】
詳細な説明−第１の実施形態図８から図１５
ここで、ＬＯＥ導光体（２０）に対する試験の典型的な部分の見取図である図８を参照する。この典型的な実施例は、図２に関連して上に記載されるようにＬＯＥを使用する。作業において、入射光線（１８）は近位端（５４）においてＬＯＥ（２０）に進入することができる。本試験構成において、当該技術分野において知られているように試験用光線を発生させるために、表示光源（８０４）はコリメート光学系（８０６）に光を出力するが、そのことは投影光（Ｒ）の試験光線として示されている。試験光線（投影光（Ｒ））はコリメートされ得るが、典型的には厳密にコリメートされるのではなく、試験用の投影光（Ｒ）を発生させるためにわずかに焦点をぼかされる。試験は、好ましくは単色光（すなわち、光の単一波長）を用いて行われるが、典型的に可視スペクトルにおけるどの波長でも行なうことができる。この実施例は制限するものではなく、例えば、赤外線などの他の波長も使用することができる。オリエンテーションについては、本図において、前面（２６Ａ）は入射光線（Ｒ）に向かっており、典型的には下記の図（図９から図１０Ｂ）において示されるような角度にある。この場合、入射光線は、ＬＯＥ（２０）の前面（２６Ａ）に対して下向きの角度で、ページの外から到来している。投影光（Ｒ）は、図において示されるように、典型的には前面（２６Ａ）に対して斜角で、前面（２６Ａ）に向かって投影される。この典型的な実施例は制限するものではなく、投影光（Ｒ）は、代替的に、前面（２６Ａ）に対して垂直に前面（２６Ａ）に向かって投影されてもよい。
【００４１】
屈折／反射光線（Ｒ’）および外部で反射された光線（Ｒｅ’）は、前面（２６Ａ）から離れてページの外へ、上向きの角度で伝播する。このことは、図９中の試験構成（９００）（以下に記載される）を見ることによって一層よく理解され得る。
【００４２】
試験光線（Ｒ）は典型的な試験光線（Ｒ１）から（Ｒ７）としての示されており、それらは各々（Ｒ１’）から（Ｒ７’）として示される典型的な屈折／反射光線（Ｒ’）として、ＬＯＥを横断して外に出る。ＬＯＥ導光体（２０）は、主要な表面（前面（２６Ａ）および背面（２６））の間に、ファセット（２２）を含み、それらは二重線で示されている。屈折／反射光線（Ｒ１’）から（Ｒ７’）の経路は明確性のために単純化されていることに留意されたい。以下に記載されるように、ファセット（２２）における屈折／反射光線（Ｒ’）の光路長の各々は、ファセットのいずれかの側にあるプレート間での不整合（不均一性）により変化するだろう。
【００４３】
試験光線（Ｒ）は外面（前面２６Ａ）によっても、外部で反射された光（Ｒｅ’）として反射されるであろう。明確性のために、外部で反射された光（Ｒ７ｅ’）の典型的な光線が１つだけ本図中に示される（明確性のために、明らかに、正確な反射角ではない）。
【００４４】
本図において、第１の屈折率ｎ１を有する典型的なプレート−１  （Ｓ１）、第２の屈折率ｎ２を有するプレート−２  （Ｓ２）、第３の屈折率ｎ３を有するプレート−３    （Ｓ３）、第４の屈折率ｎ４を有するプレート−４    （Ｓ２）、第５の屈折率ｎ５を有するプレート−５    （Ｓ２）、および、第６の屈折率ｎ６を有するプレート−６    （Ｓ２）、を含む、プレート（４２２）が示される。また、典型的なファセットも示される：プレート−１（  Ｓ１）とプレート−２（Ｓ２）の間のファセット（Ｆ１２）、プレート−２（Ｓ２）とプレート−３（Ｓ３）の間のファセット（Ｆ２３）、プレート−３（Ｓ３）とプレート−４（Ｓ４）の間のファセット（Ｆ３４）、プレート−４（Ｓ４）とプレート−５（Ｓ５）の間のファセット（Ｆ４５）、および、プレート−５（Ｓ５）とプレート−６（Ｓ６）の間のファセット（Ｆ５６）。あるいは、プレートはファセット間にあると記載することができ、例えば、プレート−２（Ｓ２）はファセット（Ｆ１２）とファセット（Ｆ２３）の間にある。
【００４５】
理想的には、各々のプレートの屈折率は一致するべきであり、すなわち、屈折率は均一なはずである：ｎ１＝ｎ２＝ｎ３＝ｎ４＝ｎ５＝ｎ６。しかしながら、実際には、典型的に１つ以上の屈折率の間にいくらかの偏差がある。典型的な場合では、第１の群（ｎ１、ｎ２、ｎ４、ｎ６）はすべて、異なる屈折率を有し、および、第２の群（ｎ３、ｎ５）は両方とも第１の群の屈折率とは異なる同一の屈折率を有する。この場合、試験光線（Ｒ１）は、屈折率ｎ２を有するプレート−２（Ｓ２）を介してＬＯＥの２０％を横断し、屈折率ｎ３を有するプレート−３  （Ｓ３）を介して８０％（残りの幅）を横断するようにファセット（Ｆ２３）で屈折し、屈折率ｎ３を有するプレート−３  （Ｓ３）を介してＬＯＥの８０％を横断する屈折／反射光線（Ｒ１’）として、背面（２６）から反射し、屈折率ｎ２を有するプレート−２  （Ｓ２）を介してＬＯＥの幅の残り２０％を横断するように、ファセット（Ｆ２３）で屈折し、および、前面（２６Ａ）を介してＬＯＥから出るであろう。
【００４６】
同様に、試験光線（Ｒ２）〜（Ｒ７）は、それぞれ以下のような反射光線（Ｒ２’）〜（Ｒ７’）としてＬＯＥを横断するであろう（各々のプレートについて括弧中に対応する屈折率、１つの方向だけが記載される）：
（Ｒ２）は１００％がプレート−３（Ｓ３）（ｎ３）を介する（Ｒ２’）として、
（Ｒ３）は８０％がプレート−３（Ｓ３）（ｎ３）を介し、２０％がプレート−４（Ｓ４）（ｎ４）を介する、（Ｒ３’）として、
（Ｒ４）は５０％がプレート−３（Ｓ３）（ｎ３）を介し、５０％がプレート−４（Ｓ４）（ｎ４）を介する（Ｒ４’）として、
（Ｒ５）は２０％がプレート−３（Ｓ３）（ｎ３）を介し、８０％がプレート−４（Ｓ４）（ｎ４）を介する（Ｒ５’）として、
（Ｒ６）は１００％がプレート−４（Ｓ４）（ｎ４）を介する（Ｒ６’）として、および
（Ｒ７）は１００％がプレート−５（Ｓ５）（ｎ５）を介する（Ｒ７’）として。
【００４７】
ｎ３＝ｎ５であるこの場合において、試験光線（Ｒ２）と（Ｒ７）（および対応する屈折／反射光線（Ｒ２’）と（Ｒ７’）は）の有効光路長は、およびそれ故に、前面（２６Ａ）から反射された光線の部分と背面（２６）から反射された光線の部分との間の位相差は相似するはずである。しかしながら、試験光線（Ｒ２）から（Ｒ６）の光路長および結果として生じる位相差は、不均一な基板（プレート）の割合が変化するに従って変化するはずである。
【００４８】
ここで、典型的な試験構成の高水準の側面見取り図である図９を参照する。試験構成（９００）は、試験のための典型的な構成を示す。図中の明確性のために、外部で反射された光（Ｒｅ’）は二点鎖線を用いて示され、および屈折／反射光線（Ｒ’）は点線を用いて示される。表示光源（８０４）は試験光線（Ｒ）を発生させるためにコリメート光学系（８０６）に光を出力する。屈折／反射光線（Ｒ’）はＬＯＥ（２０）から出力され、および、キャプチャデバイス（１００２）によって受信される。外部で反射された光（Ｒｅ’）はＬＯＥ（２０）の外面から反射され、キャプチャデバイス（１００２）によって受信される。キャプチャデバイス（１００２）は、屈折／反射光線（Ｒ’）と外部で反射された光（Ｒｅ’）との間で生じた干渉信号の画像を捕捉する。利便性上、屈折／反射光線Ｒ’から生じ、かつキャプチャデバイス（１００２）によってキャプチャされるインターフェログラム画像は、この記載においてインターフェログラムと呼ばれ、以下に説明されるように、波動干渉によって形成されたパターンが特に写真またはダイヤグラムにおいて表現される。
【００４９】
干渉パターンはプレート（４２２）間における屈折率の不均一性を測定するために用いられる。干渉パターンは屈折／反射光線（Ｒ’）と外部で反射された光（Ｒｅ’）との間のものである。屈折／反射光線（Ｒ’）は、投影光（Ｒ）が導光体（２０）を横断し、内部反射し、次に、前面（２６Ａ）を介して外に出た結果である。外部で反射された光（Ｒｅ’）は、投影光（Ｒ）が前面（２６Ａ）から反射される結果である。
【００５０】
特定の所望の試験のために便利かつ適切であるように、キャプチャデバイスは様々な実施例を含み得る。例えば、干渉信号（光線（Ｒ’）、（Ｒｅ’））はスクリーン上に投影され、および、結果として生じるインターフェログラムの写真を撮るために手持ち式カメラが使用される。別の例において、ＣＣＤ（電荷結合素子）は直接光線（Ｒ’、Ｒｅ’）の干渉をキャプチャするように設置することができる。インターフェログラムは処理モジュール（１００４）によって随意に記憶され、処理される。
【００５１】
ここで、干渉縞がどのように形成されるかを側面視で説明した図１０Ａを参照する。干渉縞は、参照光線（投影される試験光線（Ｒ））が第１のＬＯＥ（２０）の前面（２６Ａ）から反射し（外部で反射された光（Ｒｅ’））、対応する屈折／反射光線（Ｒ’）（それはＬＯＥ（２０）内へと進み、背面（２６）から反射する）と干渉し、その後、ＬＯＥ（２０）をスクリーン（キャプチャデバイス（１００２））に対して、形成される。本図において、参照試験光線（Ｒ）の典型的な部分は第１の部分（Ｒａ）と第２の部分（Ｒｂ）として示される。第１の部分（Ｒａ）は、ＬＯＥ（２０）を横断し、反射し、屈折して、および反射光線（Ｒａ’）として外に出る。第２の部分（Ｒｂ）は、外部で反射された光線（Ｒｂ’）としてＬＯＥ（２０）の外部前面（２６ａ）で反射される。（自動）コリメーター・システムから出る光線（試験光線Ｒ）の焦点が、わずかにぼかされる時、干渉縞が観察される。コリメーター（８０６）の焦点をぼかすことは、干渉縞の偏差の相対変化に影響しない。コリメーター（８０６）の焦点をより少ししかぼかさなかった場合、結果としてより遠く離れた相対的に少ない干渉縞をもたらすが、それに比較して、コリメーター（８０６）の焦点をより大幅にぼかすことは、結果として干渉縞を互いにより密にするだろう。コリメーターの焦点がぼかされなければ、結果として生成されるインターフェログラムは単一の干渉縞、すなわち、すべてが１つの明度になるだろう。一般に、コリメーター（８０６）は、干渉縞の飛びを識別するために十分な干渉縞を観察するために、十分に調節される（焦点をずらされる）が、干渉縞の数が増加して互いにより接近するほどには調節され（焦点をずらされ）過ぎることはなく、干渉縞の形状（それらの形態）において変化が認識可能になるだろう。一般的には、導光体（２０）の外面（前面（２６Ａ）と背面（２６））は、高い精度に機械加工され、および、干渉縞の一因とはならない。
【００５２】
参照のために、図８の光線（Ｒ１）から（Ｒ７）は、図１０Ａにおいて描かれるようにページへ「積み重ね」られ、ここで、本図１０Ａ中のＬＯＥ（２０）の姿は、図８のＬＯＥ（２０）の左側からのものである。
【００５３】
ここで干渉の詳細な見取り図である図１０Ｂを参照する。スクリーン（キャプチャ画像）上の信号の外観は、本図の光線のうち外部で反射された光線（Ｒｅ’）（二点鎖線）と反射／屈折光線（Ｒ’）（破線）の間の光路長差の指標である。本図は、空気とＳ−ＴＩＭ８ガラス（ｎ＝  １．５９５５）との間の界面における屈折の一例であり、従って、ＬＯＥ（２０）内部の屈折角は２６．３度である。
【００５４】
ここで、ＬＯＥの様々な範囲についての全体的なパターンの発生の見取り図である図１１を参照する。干渉縞パターンが、ＬＯＥ（２０）を通り抜けない光（外部で反射された光（Ｒｅ’））とＬＯＥ（２０）を通り抜ける光（屈折／反射光線（Ｒ’））との間の干渉を含むため、全体のパターンは、ＬＯＥ（２０）の様々な範囲（すなわち異なるプレート）を通り抜ける光線について比較情報を明らかにする。本図において、プレート（Ｓ１１）、（Ｓ１２）、（Ｓ１３）はそれぞれの屈折率（ｎ１、ｎ２、ｎ１）を有する。このことは、本図において描写されており、ここで、光線路（１１０１）と光線路（１１０２）は潜在的に異なる屈折率を有する異なるプレートを通ってＬＯＥ（２０）を横断する。本図はこれらの光線（１１０１、１１０２）を示す。先の図１０Ｂの方向付けにおいて、光線路（１１０１）と光線路（１１０２）はオーバーラップし、および、反射／屈折光線（Ｒ’）として示される。結果として生じるインターフェログラム（１２００）は、外部で反射された光線（Ｒｅ’）と反射／屈折（１１０１）／（１１０２）光線との間の光路差を、帯（Ｂ）として、または、黒い若しくは暗い領域（Ｄ）の間の「縞」として示す。典型的な３つの帯（Ｂ１）、（Ｂ２）、（Ｂ３）は、４つの典型的な暗い領域（Ｄ１）、（Ｄ２）、（Ｄ３）、（Ｄ４）の間に示される。ヘリウム〜ネオンの赤いレーザ源が用いられる場合、帯Ｂは暗い領域（Ｄ）の間の赤色となるだろう。その代わりに、本図の黒い領域（Ｄ）と白色の縞（Ｂ）のように、グレイスケールまたは白黒の画像が用いられてもよい。
【００５５】
干渉縞（帯Ｂ）は、インターフェログラムの暗い領域の中心から、可視光線領域を通って、再び次の暗い範囲の中心に延在する範囲である。例えば、縞（Ｂ１）は、暗い領域（Ｄ１）と暗い領域（Ｄ２）間の光の範囲である。光の範囲は、２つの別個の経路からの光線が一致し、および互いに同位相である時に生じる。すなわち、光線の光路長は波長の整数によって区切られ、および、強め合う干渉が生じる。従って、ある範囲で２つの別個の進路から光線が一致し、互いに位相が異なる場合、すなわち、（ｎ＋１／２）波長によって区切られて、弱め合う干渉が生じて、範囲は暗くなる。従って、結果として生じた干渉縞パターンはＬＯＥ中の相対的な光路長の直接の指標であり、それは次には屈折率の変化の指標である。
【００５６】
本図において、干渉縞は、全般において水平の帯であり、ＬＯＥ（２０）の長軸に沿ったアライメントに対応している。２つのスロープが示される：スロープ（１１３０）はＬＯＥ（２０）のプレート（Ｓ１１）と（Ｓ１２）の領域に対応し、および、スロープ（１１３２）はＬＯＥ（２０）のプレート（Ｓ１２）とプレート（Ｓ１３）の領域に対応する。インターフェログラム（１２００）中のスロープは、光線路（反射／屈折光線（Ｒ’）、図８への参照において記載されたように）が、２枚のプレート間で徐々に分割される（本図中の（ｎ１）と（ｎ２）の比率を変化させながら）領域を表現する。（１２１１）とマークされた線は、（ｎ１）の特性を決定する（プレート（Ｓ１１）は屈折率（ｎ１）を有し、ここで光線は１００％プレート（Ｓ１１）を介して、つまり１００％（ｎ１）の、ＬＯＥを横断する）。同様に、（１２１２）とマークされた線は、（ｎ２）の特性を決定する（プレート（Ｓ１２）は屈折率（ｎ２）を有し、ここで、屈折／反射光線は１００％  プレート（Ｓ１２）を介して、つまり１００％（ｎ２）の、ＬＯＥを横断する）。
【００５７】
プレート（Ｓ１１、Ｓ１２、Ｓ１３）の屈折率の間に違いがあるならば、光線（１１０１）／（１１０２）は異なる光路長（ＯＰＬ）を有し、および、位相の変化は干渉縞パターン中の偏差に反映されるだろう。プレート（典型的には隣接した）の特性間におけるこの差異は「干渉縞の飛び」と呼ばれる。干渉縞飛びは、干渉縞の第１の水平の場所での１つの部分と干渉縞の別の水平の場所での別の部分の間の垂直の差によって、インターフェログラム（１２００）において見ることができる。非限定的な一例は、干渉縞飛び（１１１４）を有する典型的な干渉縞（Ｂ２）に見ることができる。一般に、干渉縞（干渉縞の寸法、干渉縞の幅）はすべて、干渉縞の寸法（１１１６）によって示されるものと同じ寸法になるだろう。一般に、干渉縞寸法と干渉縞の飛びは、例えば、暗い領域（Ｄ）の中間点または干渉縞（Ｂ）の中間点からなど、干渉縞におけるどの点からでも測定することができる。この例では、干渉縞飛び（１１１４）は、線（１２１１）において第１の点（１１１１）を有する第１の部分から、線（１２１２）において第２の点（１１１２）を有する第２の部分まで測定される。この場合、プレート（Ｓ１１）からプレート（Ｓ１２）までの光路長の差は、ほぼ干渉縞の縞１つ分の差（１つの縞（１１１６）の干渉縞飛び（１１１４））をもたらしている。
【００５８】
典型的な計算として、１ｘ１０−４の不均一性がある隣接するプレートについての干渉縞の差異はいくらだろうか。
【００５９】
材料の内部の屈折角は、以下の式で計算され：
【００６０】
【数１】
2021527811.tif 000003
式中、θ１はプレート（ｎ１）上の場所における屈折角であり、および、θ２は（ｎ２）プレート上の場所における屈折角である。
【００６１】
そのとき、これらの隣接するプレート中の進路間における光路長の差は次のとおりだろう：
【００６２】
【数２】
2021527811.tif 000004
【００６３】
式中、ｄはスライス厚み（ＬＯＥ（２０）の幅）、ｍは結果として生じた干渉縞飛びの数、および、λは試験光線（Ｒ）の波長である。
【００６４】
パラメーターとしては、ｎ１＝１．５９５５  ｎ２＝１．５９５６  ｄ＝１．５ｍｍ  Δｎ＝１・１０−４
λ＝６３２．８・１０−９
→ｍ＝０．４０
【００６５】
従って、１ｘ１０−４のプレートにおける屈折率の不均一性は０．４０縞の干渉縞飛びとして現われるだろう。
【００６６】
ここで、好適な干渉縞パターンの写真である図１２を参照する。本図において、インターフェログラムは、最大限の干渉縞飛びが０．３縞未満であることを示す。これは、１ｘ１０−４未満の不均一性を示す。
【００６７】
ここで、不良な干渉縞パターンの写真である図１３を参照する。この一例において、「不良な」干渉縞パターンは、被測定デバイス（ＬＯＥ（２０））の特定の用途のために許容される最大値よりも大きな不均一性を示す。本図のインターフェログラムの左側に、ほとんど縞まるまる１つ分の干渉縞飛びが見られる。これは、およそ２ｘ１０−４の不均一性に相当する。
【００６８】
ここで、非常に不良な干渉縞パターンの写真である図１４を参照する。この著しい不均一性は、この試験のＬＯＥ（２０）を使用して見られるパターンの中に、一見してわかる飛びをもたらす。
【００６９】
本図に描かれた垂直線（１４００）はファセットの境界を表示する。点（１４０２）によって表示された干渉縞分離は最大限の不均一性を表現する。本インターフェログラムにおいて、６枚のプレートの各々は屈折率の顕著な差異を有する。最悪の場合、干渉縞飛びは縞まるまる２本分である（水平線（１４０４）間の干渉縞飛び（１４０６））。これは、およそ５ｘ１０−４の不均一性に相当する。
【００７０】
干渉縞飛びの決定
干渉縞の１つ以上の部分と干渉縞の別の１つ以上の部分の間の偏差を決定する工程は、プレートの屈折率間の屈折率の不均一性に対応する。インターフェログラムにおける干渉縞飛びの量（数）、およびその結果である偏差（不均一性）の計算は、様々な方法を用いて計算することができる。画像処理の分野において知られているように、その解釈または算定を行なうことは、一般的には、人間にとって可能ではなく、量、精度、および／または算定の複雑さを扱うなどのタスクを遂行するためにプロセッサー（例えば、プロセッサー（６０２））を利用しなければならない。ソフトウェアをインターフェログラム解析のために使用することはこれらの工程を容易にする場合があり、ＬＯＥ内の隣接するプレート間の相違を特徴づけるためにインターフェログラムを分析する方法を実施するために通常要求される。
【００７１】
本実施例は、導光光学素子（ＬＯＥ）内のプレートの不均一性を決定するための非接触測定技法のための方法、不均一性を決定するためにインターフェログラムの定性的評価を行うための方法を含む。干渉縞の偏差はＬＯＥについて不均一性の合格／不合格メトリックを計算するために用いられ得る。
【００７２】
生成されたインターフェログラムは入射試験光線の波干渉のパターンに起因する干渉縞、または「ウィグル（ｗｉｇｇｌｅｓ）」を示す。
【００７３】
干渉計測定の画像は、本明細書の文脈で「定量的ファセット・インデックス・デルタ（Ａ  ｑｕａｎｔｉｔａｔｉｖｅ  Ｆａｃｅｔ  Ｉｎｄｅｘ  Ｄｅｌｔａ）」（ＡＦＩＤ）メトリックと呼ばれる合格／不合格メトリックを引き出すために分析することができる。メトリックは隣接するプレート間にある場合があり、典型的には全てのプレートにわたるデルタである。
【００７４】
インターフェログラムを分析しおよび干渉縞間の干渉縞飛びの量を決定するための典型的な１つの実施例は、干渉縞の一部を外挿で求め、干渉縞への最良適合を行い、次に、この外挿をインターフェログラムの別の一部と比較することである。
【００７５】
別の典型的な実施例は「理想的な」干渉縞を構築（生成）するために、干渉縞を外挿で求めることである。その後、「理想的な」干渉縞と比較して、実際の干渉縞におけるインターフェログラムからの逸脱（エラー、ジャンプ）を計算する。逸脱の測定は干渉縞の部分においてなされる場合がある。その後、逸脱の寸法はＬＯＥ（２０）の不均一性を計算するために使用することができる。
【００７６】
一例として、画像（インターフェログラム）は、以下の工程のすべて、または、サブセットを含み得る手順で実行される：
１．インターフェログラムの軸、すなわち完全なＬＯＥのための一律な行路差の方向を決定するために、インターフェログラムを分析する工程。
２．画像回転変換の工程（この工程は画像処理、または光学的方法によって行うことができる）。
３．インターフェログラムを、干渉縞に直交するＮ個の離散信号配列へと分割する工程。ここで、Ｎは、ＬＯＥ中のファセットの数より顕著に大きく、例えば、一桁大きい。
４．以下のような既知の位相抽出アルゴリズムを使ってｎ＝１からＮの信号配列の位相を計算する工程：
ａ．３または４バケット法、
ｂ．ウェーブレット変換、または、
ｃ．他の既知の方法。
５．ｎの関数としての位相をプロットし、プロットされた位相における全体の最大値と最小値の間の最大の位相差を決定する、つまり、ＡＦＩＤメトリックを計算する、工程。
【００７７】
別の実施形態において、上記工程１から４に従ってＡＦＩＤメトリックを計算し、次に、ＬＯＥ内の隣接したスラブ（ｓｌａｂ）の各々のペアについてペアの幅を計算する。
【００７８】
本実施形態はＬＯＥ導光体（２０）に関して記載されるが、開示された技術は、複数のプレート構造および／または屈折の組合せを含むデバイスなどの他のデバイスを試験するために用いられ得ることは記載に基づいて予見される。
【００７９】
図１５は、本実施形態の処理モジュール（１００４）を実装するように構成された、典型的なシステム（６００）の高水準の部分的なブロック図である。システム（処理システム）（６００）はプロセッサー（６０２）（１つ以上）、および４つの典型的なメモリーデバイス：ランダムアクセスメモリ（ＲＡＭ）（６０４）、ブート用リードオンリーメモリー（ＲＯＭ）（６０６）、大容量記憶デバイス（ハードディスク）（６０８）、およびフラッシュメモリー（６１０）、を含み、それらはすべて共通バス（６１２）を介して通信する。当該技術分野で知られるように、処理装置（ｐｒｏｃｅｓｓｉｎｇ）とメモリーは、ソフトウェアおよび／またはファームウェアを記憶するいかなるコンピューター可読媒体も含むことができ、および／または、限定されないが、フィールドプログラマブルロジックアレイ（ｆｉｅｌｄ  ｐｒｏｇｒａｍｍａｂｌｅ  ｌｏｇｉｃ  ａｒｒａｙ）（ＦＰＬＡ）構成要素、ハードワイヤード論理構成要素、フィールドプログラマブルゲートアレイ（ＦＰＧＡ）構成要素、および、特定用途向け集積回路（ＡＳＩＣ）構成要素を含むハードウェア構成要素を含み得る。プロセッサ（６０２）において、縮小命令セットコンピューター（ＲＩＳＣ）構成および／または複合命令セットコンピューター（ＣＩＳＣ）構成を含むが、これらに限定されない、どんな命令セットアーキテクチャが使用されてもよい。モジュール（処理モジュール）（６１４）は大容量記憶装置（６０８）上に示されるが、当業者にとって明白であるように、どのメモリーデバイス上に位置決めされてもよい。
【００８０】
大容量記憶装置（６０８）は、測定技術方法論を実装するためのコンピューター可読コードを保持する非一時的なコンピューター可読記憶媒体の非限定的な例である。そのようなコンピューター可読記憶媒体の他の例は、そのようなコードを保持するＣＤなどリードオンリーメモリーを含む。
【００８１】
システム（６００）はメモリーデバイス上にオペレーティングシステムを有する場合があり、ＲＯＭは、システムのためのブートコードを含む場合があり、および、プロセッサーは、オペレーティングシステムをＲＡＭ（６０４）にロードするためにブートコードを実行し、オペレーティングシステムを実行してＲＡＭ（６０４）にコンピューター可読コードをコピーさせ、およびコードを実行させるように、構成される場合がある。
【００８２】
ネットワーク接続（６２０）は、システム（６００）への、および、システム（６００）からの通信を提供する。典型的には、単一のネットワーク接続は、ローカルの、および／または遠隔ネットワーク上の他のデバイスへの仮想接続を含む１つ以上のリンクを供給する。あるいは、システム（６００）に２つ以上のネットワーク接続（図示せず）を含めることができ、各々のネットワーク接続が他のデバイスおよび／またはネットワークへの１つ以上のリンクを提供し得る。
【００８３】
システム（６００）はネットワークを介してクライアントまたはサーバーへそれぞれ接続されたサーバーまたはクライアントとして実装され得る。
【００８４】
応用によっては、モジュールおよび処理装置の様々な実装が可能であることに留意されたい。モジュールは、ソフトウェアの中で好ましく実装されるが、単一のプロセッサーまたは分散形プロセッサー上に、ハードウェアおよびファームウェア中に、１つ以上の位置において実装することができる。上記モジュールの機能を組み合わせてより少数のモジュールとして実装することができ、または、サブ機能に区切って、より多くのモジュールとして実装することができる。上記の記載に基づき、当業者は特定の応用のための実装を設計し得る。
【００８５】
上述の例、使用された符号、および例示的な計算は、この実施形態の説明を支援するものであることを留意されたい。不注意な誤字、数学的な誤差、および／または、単純化した計算を使用しても、本発明の有用性および基礎的な利点は損なわれない。
【００８６】
添付された請求項が複数の従属関係なしに起草された点について、これは、単にそのような複数の従属関係を許容しない法的管轄区域において方式要件に対応するために行われた。
【００８７】
請求項を複合的に従属させるようにすることにより意味される特徴のあらゆる組み合わせが、明示的に想定され、本発明の一部として考慮されるべきであることを留意されたい。上の記載は、単に例として役立つように意図され、多くの他の実施形態は、添付された請求項に規定されるような本発明の範囲内で可能であることが理解されるだろう。
【図１】
2021527811.tif 000005
【図２】
2021527811.tif 000006
【図３Ａ】
2021527811.tif 000007
【図３Ｂ】
2021527811.tif 000008
【図４】
2021527811.tif 000009
【図５】
2021527811.tif 000010
【図６】
2021527811.tif 000011
【図７】
2021527811.tif 000012
【図８】
2021527811.tif 000013
【図９】
2021527811.tif 000014
【図１０Ａ】
2021527811.tif 000015
【図１０Ｂ】
2021527811.tif 000016
【図１１】
2021527811.tif 000017
【図１２】
2021527811.tif 000018
【図１３】
2021527811.tif 000019
【図１４】
2021527811.tif 000020
【図１５】
2021527811.tif 000021
【国際調査報告】
2021527811.tif 000022
2021527811.tif 000023
2021527811.tif 000024